(57)【要約】【課題】反射光を利用して高速通信の可能なアップリンクを実現できる可視光通信システムを提供することにある。【解決手段】反射光を利用した可視光通信システムにおいて、送信データを反射率に基づいて変調するデータ変換部２２と変調器２３とを有し、変調した反射光を光送受信装置１０に反射する反射部材として、再帰性反射特性を有するコーナーキューブプリズム２５を使用する構成である。【選択図】      図１
2009105496.tif 000002
【特許請求の範囲】
【請求項１】
可視光が入射する入射手段と、
送信用データを保持するデータ保持手段と、
前記データ保持手段に保持された送信用データに基づいて、前記入射手段からの入射光を反射するときの反射率を変化させる反射率制御手段と、
前記入射光の方向に反射光を返す再帰性反射特性を有し、前記反射率制御手段による反射率の変化で変調させた反射光を送出する反射手段と、
を具備したことを特徴とする可視光通信端末。
【請求項２】
可視光を発光する発光手段と、
送信用データを保持するデータ保持手段と、
前記データ保持手段に保持された送信用データに基づいて、前記発光手段からの入射光を反射するときの反射率を変化させる反射率制御手段と、
前記入射光の方向に反射光を返す再帰性反射特性を有し、前記反射率制御手段による反射率の変化で変調させた反射光を送出する反射手段と、
前記反射手段からの反射光を受光して、前記送信用データを復調するデータ復調手段と、
前記データ復調手段により復調された送信用データを送信する送信手段と
を具備したことを特徴とする可視光通信システム。
【請求項３】
前記反射手段は、複数の反射面を有するコーナーキューブプリズムを使用し、前記反射率制御手段により前記各反射面の反射率が変化される構成であることを特徴とする請求項１に記載の可視光通信端末又は請求項２に記載の可視光通信システム。
【請求項４】
前記コーナーキューブプリズムは３つの反射面を有し、
前記反射率制御手段は、前記３つの反射面の反射率を同時に制御するように構成されていることを特徴とする請求項３に記載の可視光通信端末又は可視光通信システム。
【請求項５】
前記反射率制御手段は、エレクトロクロミックミラーを含むことを特徴とする請求項１に記載の可視光通信端末又請求項２に記載の可視光通信システム。
【請求項６】
前記反射率制御手段は、前記各反射面の反射率を独立して制御するように構成されていることを特徴とする請求項１に記載の可視光通信端末又は請求項２に記載の可視光通信システム。
【請求項７】
前記反射率制御手段は、
前記データ保持手段に保持された送信用データを、反射率変調信号に変調する変調手段と、
前記反射率変調信号により、前記反射手段からの反射光の反射率を変化させる手段と
を含むことを特徴とする請求項１に記載の可視光通信端末又は請求項２に記載の可視光通信システム。
【請求項８】
前記変調手段は、
前記送信用データを、２値の“１”または“０”からなり、“０”の連続ビット数を制限した所定のビット数の符号化データに変換する符号化手段を有し、
前記符号化データを前記反射率変調信号に変調することを特徴とする請求項７に記載の可視光通信端末又は可視光通信システム。
【請求項９】
前記符号化手段は、４Ｂ／ＨＭＬ変換方法による符号化データを生成することを特徴とする請求項８に記載の可視光通信端末又は可視光通信システム。
【請求項１０】
前記変調手段は、
前記送信用データを、４Ｂ／ＨＭＬ変換方法による符号化データに変換する符号化手段を有し、
前記符号化データを多値レベルの反射率変調信号に変調することを特徴とする請求項７に記載の可視光通信端末又は可視光通信システム。
【請求項１１】
前記コーナーキューブプリズムは、２つの反射面のなす角に入射された入射光の反射を抑制する構成であることを特徴とする請求項３に記載の可視光通信端末又は可視光通信システム。
【請求項１２】
前記送信手段は、
ネットワークに接続されて、前記送信用データを前記ネットワークに送信するように構成されていることを特徴とする請求項２から請求項１１のいずれか１項に記載の可視光通信システム。
【請求項１３】
前記発光手段は、照明光を発生する照明器具に含まれる発光素子から構成されていることを特徴とする請求項２から請求項１２のいずれか１項に記載の可視光通信システム。
【請求項１４】
前記データ保持手段及び前記反射手段は、前記送信用データを生成する機能を有する端末装置に含まれる構成であることを特徴とする請求項２から請求項１３のいずれか１項に記載の可視光通信システム。
【請求項１５】
可視光を使用してデータを通信する可視光通信システムに適用する光通信方法であって、
送信用データを決定する処理と、
前記可視光の入射方向に反射光を返す再帰性反射特性を有するコーナーキューブプリズムを使用し、前記送信用データに基づいて、前記コーナーキューブプリズムの各反射面の反射率を変化させて変調した反射光を送出する処理と、
前記反射光を受光して、前記送信用データを復調する処理と、
前記復調された送信用データを送信する処理と
を有する手順を実行する光通信方法。
【発明の詳細な説明】
【技術分野】
【０００１】
本発明は、可視光及び反射光を利用した可視光通信システムに関する。
【背景技術】
【０００２】
近年、可視光を利用したデータ通信技術が注目されている。一般的に、通信には、片方向通信と双方向通信がある。片方向通信には、ダウンリンクとアップリンクがある。ダウンリンクとは、ネットワークの中心から利用者の端末装置の方向への通信を意味する。アップリンクとは、利用者の端末装置からネットワークの中心方向への通信を意味する。また、双方向通信は、アップリンクとダウンリンクの両方が可能な通信を意味する。
【０００３】
可視光通信のダウンリンクの具体化例としては、道路標識から車へ、あるいは照明から利用者への片方向通信の情報提供装置が提案されている（例えば、特許文献１を参照）。双方向通信の分野では、アップリンクまたはダウンリンクの一方を、可視光ではなく電波や赤外線を用いて通信する方法が提案されている（例えば、特許文献２を参照）。また、ダウンリンクとアップリンクのいずれにおいても、照明光である可視光を使用する双方向通信方法も提案されている（例えば、特許文献３を参照）。
【特許文献１】特開２００２−２０２７４１号公報
【特許文献２】特開平１０−１４５２９０号公報
【特許文献３】特開２００４−２２１７４７号公報
【発明の開示】
【発明が解決しようとする課題】
【０００４】
現状の可視光通信では、ダウンリンクが一般的である。可視光通信をアップリンクに適用するには、利用者の端末側での小型化や低消費電力化が要求される。このような要求を満たす方法としては、照明光を利用し、かつ端末側からの発光部の代わりに反射光を利用する構成が望ましい。前述の特許文献３では、可視光を使用するアップリンクでは、液晶を利用して反射光の反射率を変更させる方法が提案されている。
【０００５】
しかしながら、液晶を使用した反射率変更方法は、オン／オフの切り替え速度である応答速度が相対的に遅い。このため、高速通信でのアップリンクの実現が困難である。
【０００６】
そこで、本発明の目的は、反射光を利用して高速通信の可能なアップリンクを実現できる可視光通信端末及び可視光通信システムを提供することにある。
【課題を解決するための手段】
【０００７】
本発明の観点は、例えばコーナーキューブプリズムのような再帰性反射特性を有する反射手段を使用し、各反射面の反射率を制御することで変調した反射光を生成して、特に高速のアップリンクを実現した可視光通信端末及び可視光通信システムである。
【０００８】
本発明の観点に従った可視光通信端末は、可視光が入射する入射手段と、送信用データを保持するデータ保持手段と、前記データ保持手段に保持された送信用データに基づいて、前記入射手段からの入射光を反射するときの反射率を変化させる反射率制御手段と、前記入射光の方向に反射光を返す再帰性反射特性を有し、前記反射率制御手段による反射率の変化で変調させた反射光を送出する反射手段とを備えた構成である。
【０００９】
また、本発明の観点に従った可視光通信システムは、可視光を発光する発光手段と、送信用データを保持するデータ保持手段と、前記データ保持手段に保持された送信用データに基づいて、前記発光手段からの入射光を反射するときの反射率を変化させる反射率制御手段と、前記入射光の方向に反射光を返す再帰性反射特性を有し、前記反射率制御手段による反射率の変化で変調させた反射光を送出する反射手段と、前記反射手段からの反射光を受光して、前記送信用データを復調するデータ復調手段と、前記データ復調手段により復調された送信用データを送信する送信手段とを備えた構成である。
【発明の効果】
【００１０】
本発明によれば、反射率を変化させる反射光を利用して、高速通信の可能なアップリンクを実現できる可視光通信端末及び可視光通信システムを提供することができる。従って、本発明のアップリンクと可視光通信によるダウンリンクとを組み合わせることにより、双方向の可視光通信を実現することができる。
【発明を実施するための最良の形態】
【００１１】
以下図面を参照して、本発明の実施形態を説明する。
【００１２】
［第１の実施形態］
図１は、本実施形態に関する可視光通信システムの構成を説明するためのブロック図である。
【００１３】
本実施形態の可視光通信システムは、利用者が操作する端末装置からネットワークの方向にデータを送信するアップリンクを実現するためのシステムである。システムは大別して、図１に示すように、光送受信装置１０と反射装置２０を有する。
【００１４】
光送受信装置１０は、発光素子１１、受光素子１２、及び復調器１３を有する。発光素子１１は、例えば複数の発光ダイオード素子（ＬＥＤ）からなり、可視光１４を発光する。受光素子１２は、後述する反射装置２０からの反射光１５を受光して電気信号に変換するフォトダイオード（ＰＤ）などからなる。復調器１３は、受光素子１２から出力される電気信号からデータ（端末装置からの送信用データ）を復調する。
【００１５】
復調器１３は、ネットワーク・インターフェース（ネットワークＩ／Ｆ）１６に接続されている。ネットワークＩ／Ｆ１６は、例えば構内に構築されたローカルエリアネットワーク（ＬＡＮ）のネットワーク回線１７と接続し、復調器１３から出力されたデータを例えばサーバに送信する。
【００１６】
ここで、光送受信装置１０は、例えば、部屋の天井の近傍に設けられて、発光素子１１からの光を照明光として使用する照明器具を兼用した装置である。当然ながら、照明器具とは別に設けられた専用装置でもよい。
【００１７】
反射装置２０は、例えば、パーソナルコンピュータなどの端末装置に組み込まれた装置、または端末装置に外付けで接続される装置である。反射装置２０は、データ保持部２１、データ変換部（４Ｂ／５Ｂ変換部）２２、変調器２３、及び反射部２４を有する。
【００１８】
データ保持部２１は、端末装置で生成された送信用データ（以下、単にデータと表記する場合がある）を一時的に記憶する記憶装置である。データ保持部２１は、端末装置のメモリやディスクドライブなどの記憶領域の一部でもよい。
【００１９】
データ変換部２２は、図２に示すような符号化方法により、例えば４ビット（４Ｂ）の送信用データ２１０を５ビット（５Ｂ）のデータ２２０に変換する４Ｂ／５Ｂ変換部である。データ変換部２２は、４Ｂ／５Ｂ変換部以外に、例えば８ビット（８Ｂ）のデータを１０ビット（１０Ｂ）のデータに変換する８Ｂ／１０Ｂ変換部や、ＮＲＺＩ（Non Return to Zero Inversion）符号化部もよい。即ち、データ変換部２２は、２値の“１”または“０”からなるデータにおいて、“０”の連続ビット数を制限した所定のビット数（連続する０が最大３ビットまで）の符号化データに変換する。
【００２０】
変調器２３は、データ変換部２２から出力された符号化データ２２０を、後述するコーナーキューブプリズム２５の各反射面２５Ａ〜２５Ｃの反射率を制御（変化）するための変調信号２３０Ａ〜２３０Ｃを出力する。
【００２１】
反射部２４は、コーナーキューブプリズム２５及びエレクトロクロミックミラー２６を有する。コーナーキューブプリズム２５は、図８に示すように、内側に直交した３つの反射面２５Ａ〜２５Ｃを有し、発光素子１１から発光された可視光１４の入射方向に反射光１５を反射させる再帰性反射特性を有する反射部材である。コーナーキューブプリズム２５は、１つの反射面で１回反射するので、合計３回反射してから入射光を入射してきた方向に反射させる。
【００２２】
エレクトロクロミックミラー２６は、各反射面２５Ａ〜２５Ｃにそれぞれ設けられており、電圧駆動で、反射面２５Ａ〜２５Ｃの反射率を制御することができるミラー部材である。エレクトロクロミックミラー２６は、図３に示すように、変調器２３から出力される変調信号２３０Ａ〜２３０Ｃにより駆動し、反射面２５Ａ〜２５Ｃの反射率を制御する。
【００２３】
以上のような構成の反射部２４は、データ保持部２１からの送信用データに応じて変調した反射光１５、即ち発光素子１１から発光された可視光１４を反射した反射光１５を、光送受信装置１０の方向に送出する。反射光１５は、変調器２３から出力される変調信号２３０Ａ〜２３０Ｃにより制御される反射率で変調された光である。
【００２４】
（可視光通信の動作）
以下、図２及び図３を参照して、本実施形態の可視光通信システムの動作を説明する。本実施形態のシステムは、前述したように、利用者が操作する端末装置からネットワークの方向にデータを送信するアップリンクを実現している。まず、利用者は、端末装置を操作して送信用データ２１０を作成し、反射装置２０のデータ保持部２１にセットする。
【００２５】
反射装置２０では、データ変換部２２は、図２に示すような符号化方法（データ変換方法）により、例えば４ビット（４Ｂ）の送信用データ２１０を５ビット（５Ｂ）の符号化データ２２０に変換する。変調器２３は、図３（Ｂ）〜（Ｅ）に示すように、符号化データ２２０から変調信号２３０Ａ〜２３０Ｃを生成し、エレクトロクロミックミラー２６に出力する。エレクトロクロミックミラー２６は、変調信号２３０Ａ〜２３０Ｃのそれぞれにより、コーナーキューブプリズム２５の反射面２５Ａ〜２５Ｃの各反射率を制御する。
【００２６】
ここで、コーナーキューブプリズム２５からの反射光１５は、図３（Ｆ）に示すように、変調信号２３０Ａ〜２３０Ｃに対応する反射面２５Ａ〜２５Ｃの各反射率を合計した反射率となる。即ち、反射面２５Ａ〜２５Ｃが例えば６０％と９５％の２つの反射率で制御される場合において、コーナーキューブプリズム２５の反射面２５Ａ〜２５Ｃの反射率が全て９５％のときには、各反射率を合計した反射率は、３回の反射により８６％になる。また、コーナーキューブプリズム２５の反射面２５Ａ〜２５Ｃの反射率が全て６０％のとき、各反射率を合計した反射率は、３回の反射により２２％の反射率になる。
【００２７】
従って、コーナーキューブプリズム２５からは、符号化データ２２０の２値（“１”または“０”）に応じて、入射光１４に対して８６％の反射率の反射光１５または２２％の反射率の反射光１５が出力される。
【００２８】
このような反射装置２０の動作において、光送受信装置１０の発光素子１１から可視光１４が発光している状態であれば、可視光１４が反射部２４に照射されて、反射部２４から反射光１５が反射される。この反射光１５は、変調器２３からの変調信号２３０Ａ〜２３０Ｃ、即ち符号化データ２２０に応じて、反射率が変化している。即ち、反射光１５は、符号化データ２２０に応じて変調された反射率の光となる。
【００２９】
光送受信装置１０では、受光素子１２は、反射装置２０からの反射光１５を受光して電気信号（符号化データ２２０）に変換する。復調器１３は、受光素子１２から出力される電気信号（符号化データ２２０）から元のデータ（データ保持部２１の送信用データ２１０）を復調する。復調器１３は、ネットワークＩ／Ｆ１６に復調した送信用データ２１０を出力する。ネットワークＩ／Ｆ１６は、例えば構内に構築されたＬＡＮのネットワーク回線１７を介して、復調器１３から出力された送信用データ２１０をサーバに送信する。
【００３０】
以上のようにして、本実施形態の可視光通信システムにより、端末装置からネットワークにデータを送信するアップリンクを実現することができる。本実施形態のシステムは、光送受信装置１０から発光される可視光１４の反射光１５に、符号化データ２２０に応じた変調を加えることで、光通信を行なう方式である。従って、端末装置側は反射装置２０を要するが、発光部を必要としない。このため、特に端末装置側の光通信に関係する装置の小型化及び消費電力の低減化を図ることが可能となる。
【００３１】
さらに、反射装置２０はコーナーキューブプリズムを使用するため、反射光を操作するための構造を簡単化できる。この理由は、コーナーキューブプリズムは、入射光方向に反射光を返す再帰性反射特性を有する。この再帰性反射を実現するためには、通常のミラーでは、ミラー自体を動かす機構が必要となる。また、データ変換部により送信用データを符号化するため、例えば“０”が３ビットを超えて連続しない変調用データ（符号化データ２２０）を生成できるため、変調信号２３０Ａ〜２３０ＣであるパルスのＨレベルまたはＬレベルの連続を抑制できる。また、本実施形態では、変調器２３からの変調信号２３０Ａ〜２３０Ｃを反射部２４に出力するための信号線は、１本の信号線でよい。
【００３２】
要するに、本実施形態の可視光通信システムは、端末側の小型化と共に、高速通信の可能なアップリンクを実現できる。このような本実施形態のアップリンクと、従来の可視光通信によるダウンリンクを組み合わせることにより、双方向の可視光通信システムを実現することができる。また、光送受信装置１０は、照明光を発光する発光素子１１を使用することにより、照明器具を兼用することができる。
【００３３】
［第２の実施形態］
図４は、第２の実施形態に関する可視光通信システムの構成を説明するためのブロック図である。本実施形態の可視光通信システムでは、反射装置２０は、データ保持部２１からの送信用データ２１０を変換するためのデータ変換部として、４Ｂ／ＨＭＬ変換部４０を有する。また、反射装置２０は、４Ｂ／ＨＭＬ変換部４０からの符号化データ４００を変調するための変調器として、多レベル変調器４１を有する。なお、本実施形態の他の構成は、前述の図１に示す第１の実施形態と同様であるため、同一符号を付して説明を省略する。
【００３４】
４Ｂ／ＨＭＬ変換部４０は、コーナーキューブプリズム２５の各反射面２５Ａ、２５Ｂ、２５Ｃの反射率をそれぞれ独立して制御するための符号化データ４００を出力する。具体的には、４Ｂ／ＨＭＬ変換部４０は、図５に示すように、例えば４ビット（４Ｂ）の送信用データ２１０を、ＨＭＬ（Ｈ：高反射率、Ｍ：中間反射率、Ｌ：低反射率）の３値の符号化データ４００に変換する。
【００３５】
多レベル変調器４１は、図７（Ｂ）〜（Ｅ）に示すように、３値の符号化データ４００から変調信号４１０Ａ〜４１０Ｃを生成し、エレクトロクロミックミラー２６に出力する。エレクトロクロミックミラー２６は、変調信号４１０Ａ〜４１０Ｃのそれぞれにより、コーナーキューブプリズム２５の各反射面２５Ａ〜２５Ｃの反射率をそれぞれ独立して制御する。
【００３６】
（作用効果）
以下図７を参照して、本実施形態の可視光通信システムの動作を説明する。
【００３７】
本実施形態のシステムにおいても、前述したように、利用者が操作する端末装置からネットワークの方向にデータを送信するアップリンクを実現している。利用者は、端末装置を操作して送信用データ２１０を作成し、反射装置２０のデータ保持部２１にセットする。
【００３８】
反射装置２０では、４Ｂ／ＨＭＬ変換部４０は、図５に示すような符号化方法（データ変換方法）により、例えば４ビット（４Ｂ）の送信用データ２１０を３値の符号化データ４００に変換する。多レベル変調器４１は、図７（Ｂ）〜（Ｅ）に示すように、３値の符号化データ（ＨＭＬ）４００から変調信号４１０Ａ〜４１０Ｃを生成し、エレクトロクロミックミラー２６に出力する。エレクトロクロミックミラー２６は、変調信号４１０Ａ〜４１０Ｃにより、コーナーキューブプリズム２５の反射面２５Ａ〜２５Ｃの反射率をそれぞれ独立に制御する。
【００３９】
ここで、４Ｂ／ＨＭＬ変換部４０が、例えば連続するビットを４周期まで制御すると、光量の変化が周期的に起こるので、光送受信装置１０は、反射部２４が信号を送信しているかを判断することができる。また、光送受信装置１０と反射装置２０間の同期を取ることが可能となる。図５及び図７に示す例では、連続するビットは４周期までとしたが、連続するビットは５周期や６周期などでよい。
【００４０】
コーナーキューブプリズム２５からの反射光１５は、図７（Ｆ）に示すように、変調信号４１０Ａ〜４１０Ｃに対応する反射面２５Ａ〜２５Ｃの各反射率を合計した反射率となる。即ち、反射面２５Ａ〜２５Ｃが例えば６０％と９５％の２つの反射率で制御される場合において、反射面２５Ａが９５％、反射面２５Ｂが９５％、反射面２５Ｃが９５％のときには、各反射率を合計した反射率は、３回の反射により８６％になる。
【００４１】
また、反射面２５Ａが９５％、反射面２５Ｂが９５％、反射面２５Ｃが６０％のときには、各反射率を合計した反射率は、３回の反射により５４％になる。さらに、反射面２５Ａが９５％、反射面２５Ｂが６０％、反射面２５Ｃが６０％のときには、各反射率を合計した反射率は、３回の反射により３４％になる（図示せず）。さらに、反射面２５Ａが６０％、反射面２５Ｂが６０％、反射面２５Ｃが６０％のときには、各反射率を合計した反射率は、３回の反射により２２％になる。
【００４２】
従って、コーナーキューブプリズム２５からは、符号化データ４００の３値（ＨＭＬ）に応じて、入射光１４に対して、８６％、５４％、３４％、２２％の４パターンの反射率の反射光１５が出力される。
【００４３】
ここで、光送受信装置１０では、反射率が低い３４％と２２％の反射光１５を受光した場合に、反射率３４％と２２％の区別ができない場合が生じる可能性がある。このような場合には、例えば反射率の３４％の制御を使用せずに、反射率８６％、５４％、２２％の３パターンの制御を行なうようにしてもよい。反射率３４％の制御を使用しないことで、低反射の区別がつきやすく、ノイズによる影響を抑制することが可能となる。
【００４４】
従って、反射率８６％をＨｉｇｈ（Ｈ）、反射率５４％をＭｉｄｄｌｅ（Ｍ）、反射率２２％をＬｏｗ（Ｌ）として、コーナーキューブプリズム２５の３つの反射面２５Ａ、２５Ｂ、２５Ｃを経由する反射光１５は、図７（Ｆ）に示すような３パターンの反射率となる。
【００４５】
なお、光送受信装置１０の動作は、前述の第１の実施形態の場合と同様であるため、説明を省略する。
【００４６】
以上要するに、本実施形態によれば、コーナーキューブプリズム２５の３つの反射面２５Ａ、２５Ｂ、２５Ｃの反射率の多重レベル変調方法により、端末側の小型化と共に、高速通信の可能なアップリンクを実現できる。これにより、本実施形態のアップリンクと、従来の可視光通信によるダウンリンクを組み合わせることにより、双方向の可視光通信システムを実現することができる。
【００４７】
（変形例）
図６は、４Ｂ／ＨＭＬ変換部４０において、図５に示す符号化方法（データ変換方法）とは異なる符号化方法により、例えば４ビット（４Ｂ）の送信用データ２１０を３値の符号化データ４００に変換する変形例である。
【００４８】
本変形例では、４Ｂ／ＨＭＬ変換部４０は、一つ目の信号と二つ目の信号の間を必ず変化させるようにしている。これは、二つ目の信号と三つ目の信号の間を必ず変更するとしてよいことは明らかである。これにより、連続するビット数を３にする事ができる。連続するビット数を３にする事で、光送受信装置１０は、反射装置２０との通信状態の判断をより正確に行うことができる。また、光送受信装置１０の受光素子１２の同期間隔を小さくすることも可能となる。
【００４９】
［第３の実施形態］
図１０は、第３の実施形態に関する可視光通信システムの反射装置２０で使用されるコーナーキューブプリズム２５の構造を示す図である。なお、本実施形態の他の構成は、前述の図１に示す第１の実施形態と同様であるため、同一符号を付して説明を省略する
まず、第１及び第２の実施形態におけるコーナーキューブプリズム２５は、図８に示すように、３回の反射によって入射光１４の方向と同じ方向に反射光１５を反射させる再帰性反射特性を有する反射部材である。
【００５０】
ここで、図９に示すように、コーナーキューブプリズム２５の反射面２５Ａと反射面２５Ｃとのなす角に相当するエッジ部９０に、照射された光１４は、２回の反射で反射光を反射させることになる。従って、２回の反射で反射率を制御された反射光１５は、光送受信装置１０の受光素子１２で受光されて、正しい光信号ではなくノイズとなる。
【００５１】
そこで、本実施形態のコーナーキューブプリズム２５は、図１０に示すように、コーナーキューブプリズム２５の反射面２５Ａと反射面２５Ｂとがなす角と、反射面２５Ａと反射面２５Ｃとがなす角と、反射面２５Ｂと反射面２５Ｃとがなす角に相当する各エッジ部において、光を反射させない材料１００を設けた構造とする。この材料１００は、具体的には光を反射させない、または光を吸収する例えばゴムなどの材質からなる。
【００５２】
本実施形態のコーナーキューブプリズム２５であれば、図９に示すようなノイズとなる２面反射現象を回避し、必ず、３面反射による反射光１５を光送受信装置１０に送出することができる。これにより、可視光通信におけるノイズの低減化を図ることができる。
【００５３】
なお、本実施形態の可視光通信システムにおける他の作用効果は、前述の第１及び第２の実施形態の場合と同様であるため、説明を省略する。
【００５４】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５５】
【図１】本発明の第１の実施形態に関する可視光通信システムの構成を説明するためのブロック図。
【図２】本実施形態に関する４Ｂ／５Ｂ変換部の動作を説明するための図。
【図３】本実施形態に関する反射装置の動作を説明するためのタイミングチャート。
【図４】第２の実施形態に関する可視光通信システムの構成を説明するためのブロック図。
【図５】第２の実施形態に関する４Ｂ／ＨＭＬ変換部の動作を説明するための図。
【図６】第２の実施形態の変形例に関する４Ｂ／ＨＭＬ変換部の動作を説明するための図。
【図７】第２の実施形態に関する反射装置の動作を説明するためのタイミングチャート。
【図８】第１の実施形態に関するコーナーキューブプリズムの構造を説明するための図。
【図９】第３の実施形態に関するコーナーキューブプリズムの作用効果を説明するための図。
【図１０】第３の実施形態に関するコーナーキューブプリズムの構造を説明するための図。
【符号の説明】
【００５６】
１０…光送受信装置、１１…発光素子（ＬＥＤ）、１２…受光素子、１３…復調器、
１４…可視光、１５…反射光、１６…ネットワーク・インターフェース、
１７…ネットワーク回線、２０…反射装置、２１…データ保持部、
２２…データ変換部（４Ｂ／５Ｂ変換部）、２３…変調器、２４…反射部、
２５…コーナーキューブプリズム、２５Ａ〜２５Ｃ…反射面、
２６…エレクトロクロミックミラー、４０…データ変換部（４Ｂ／ＨＭＬ変換部）、
４１…多レベル変調器。
【図１】
2009105496.tif 000003
【図２】
2009105496.tif 000004
【図３】
2009105496.tif 000005
【図４】
2009105496.tif 000006
【図５】
2009105496.tif 000007
【図６】
2009105496.tif 000008
【図７】
2009105496.tif 000009
【図８】
2009105496.tif 000010
【図９】
2009105496.tif 000011
【図１０】
2009105496.tif 000012